(57)【特許請求の範囲】
【請求項１】
鼻と口とを覆う本体部と、
該本体部の側端部に内側に向けて設けられた折り返し部とを備え、
前記折り返し部の上端部又は下端部の一方が、前記本体部に固定されており、前記折り返し部の上端部又は下端部の他方が開放されていることを特徴とするマスク。
【請求項２】
本体部と折り返し部とが一体に形成されていることを特徴とする請求項１記載のマスク。
【請求項３】
着用紐をさらに備え、
該着用紐の一端部が、前記折り返し部と前記本体部との固定部分に取り付けられており、前記着用紐の他端部が前記折り返し部の開放されている上端部又は下端部に取り付けられていることを特徴とする請求項１又は２記載のマスク。
【請求項４】
前記本体部が上下方向に伸縮可能であることを特徴とする請求項１乃至３の何れか一項に記載のマスク。
【発明の詳細な説明】
【技術分野】
【０００１】
本発明は、マスクに関するものである。
【背景技術】
【０００２】
鼻と口とを覆う従来のマスクは、マスクの側端部と着用者の頬との間に隙間ができやすいという問題がある。
特に、プリーツ等を設けて上下方向に伸縮自在にしてあるマスクでは、鼻からあごにかけての顔の曲面に沿うようにプリーツを広げて着用すると、マスクの端部も連動して湾曲するので、マスクの側端部と顔との間に隙間ができてしまう場合がある。この湾曲は、耳の付け根部分の上下方向の長さ（耳介付着部長）が小さい着用者の場合には、湾曲の半径（Ｒ）が小さくなるので曲率が大きくなり、場合によってはマスクの端部が外側に反り返ってしまい、大きな隙間ができてしまうこともある。
そして、このようにマスクの側端部と顔の間に隙間ができてしまうと、その隙間から花粉やウイルス、細菌等が漏出したり侵入したりする恐れが生じる。
【先行技術文献】
【特許文献】
【０００３】
【特許文献１】特開２００１−３１４５２０号公報
【発明の概要】
【発明が解決しようとする課題】
【０００４】
本発明は、前述した課題に鑑みてなされたものであり、マスクの側端部と着用者の頬とをできるだけ密着させることができるマスクを提供することを目的とする。
【課題を解決するための手段】
【０００５】
すなわち、本発明に係るマスクは、鼻と口とを覆う本体部と、該本体部の側端部に内側に向けて設けられた折り返し部とを備え、前記折り返し部の上端部又は下端部の一方が前記本体部に固定されており、前記折り返し部の上端部又は下端部の他方が開放されていることを特徴とするものである。
なお、本明細書における上下左右の方向は、着用時の上下左右の方向を意味する。
【０００６】
このようなマスクによれば、着用時に前記本体部の側端部に形成された折り返し部が立ち上がり、着用者の口の開閉に追随して該着用者の頬と可及的に接するので、マスクと着用者の頬との間に形成される隙間をできるだけ小さくすることができる。
【０００７】
本体部と折り返し部とをそれぞれ別個に作成し、これらを接続してもよいが、製造を簡単化するには、不織布等のシート状材料の両端部を内側に折り返すことにより、本体部と折り返し部とを一体に形成したものが好ましい。
【０００８】
マスクの着用の仕方によっては、前記折り返し部がうまく立ち上がらない場合もあると考えられる。そこで、着用紐をさらに備え、該着用紐の一端部が、前記折り返し部と前記本体部との固定部分に取り付けられており、前記着用紐の他端部が前記折り返し部の開放されている上端部又は下端部に取り付けられるようにすることが好ましい。
【０００９】
前記本体部が上下方向に伸縮可能であるものである場合には、本発明の効果をより顕著に発揮することができる。
【発明の効果】
【００１０】
本発明によれば、マスクの側端部と着用者の頬との間に形成される隙間をできるだけ小さくすることができる。
【図面の簡単な説明】
【００１１】
【図１】本発明の一実施形態に係るマスクを内側から見た模式図。
【図２】本実施形態に係るマスクの折り返し部を折りたたんだ状態で真上から見た模式図。
【図３】本実施形態に係るマスク全体を示す模式図。
【図４】本実施形態に係るマスクの一部（Ａ）を拡大した模式図。
【図５】本実施形態に係るマスクを側方から見た模式図。
【図６】本実施形態に係るマスクを着用した状態を示す模式図。
【発明を実施するための形態】
【００１２】
以下に、本発明の一実施形態について、図面を用いて説明する。
（本実施形態に係るマスクの基本構成）
本実施形態に係るマスク１００は、例えば、図１に示すように、着用者の鼻と口とを覆う本体部１と、前記本体部１を着用するための着用紐２とを備えるものである。
【００１３】
本体部１は、例えば、不織布等のシート状材料が複数枚積層された積層シートから構成されている矩形状のものであり、上下方向への伸縮性を持たせるために、例えば、上下方向に複数回蛇腹状に折りたたまれて形成された複数の襞３（プリーツ３）が形成されたものである。
【００１４】
この本体部１の上端部には、着用者の鼻にひっかけて本体部１の上端部を鼻に固定する鼻用掛止部４が形成されている。この鼻用掛止部４は、例えば、本体部１と一体に形成された積層シートを本体部１の上端部から下端部側に向けて内側（着用者の顔に接する側）に折り返すことによって形成されている。
【００１５】
また、本体部１の下端部には、着用者の下あごにひっかけて本体部１の下端部を下あごに固定する下あご用掛止部５が形成されている。この下あご用掛止部５は、例えば、本体部１と一体に形成された積層シートを本体部１の下端部から上端部側に向けて内側に折り返すことによって形成されている。
【００１６】
前述した鼻用掛止部４を形成する折り返しの高さは、例えば、前記下あご用掛止部５を形成するための折り返しの高さよりも小さくしてある。
【００１７】
鼻用掛止部４をより鼻にフィットさせるために、本実施形態では、鼻用掛止部４の左右の幅を規定するための固定部６を設けることによって、本体部１の左右の幅よりも小さくしてある。
【００１８】
着用紐２は、例えば、不織布や織布、プラスチックフィルム、ゴム紐、織紐などから形成されたひも状のものである。この着用紐２は、例えば、本体部１の左右両側部に１つずつ形成されているものであり、本体部１の上端部と下端部とに対してその両端部が固定されて着用者の耳に掛けるための輪を形成するものである。
【００１９】
（本実施形態に係るマスクの特徴構成）
しかして、本実施形態に係るマスク１００は、本体部１の側端部に内側に向けて設けられた折り返し部７を備えることを特徴とするものである。
【００２０】
折り返し部７は、例えば、図１〜５に示すように、本体部１と一体に形成された積層シートを本体部１の側端部から内側（着用者の顔と接する面側）に折り返すことによって形成されたものであり、本体部１の左右両端部に左右対称に形成されている。
折り返し部７の上端部は、折り返された状態で本体部１の上端部に固定されており、折り返し部７の下端部は開放されている。
折り返し部７は、着用時に鼻用掛止部４の下端部が折り返し部７とともに立ち上がらないように、例えば、鼻用掛止部４の下端部に揃う位置で本体部１に固定されていることが好ましい。
【００２１】
着用紐２は、図１に示すように、その一端部が、折り返し部７が固定されている本体部１の上端部外側に固定されている。鼻用掛止部４をより着用者の鼻に密着させるためには、鼻用掛止部４の下端と着用紐２の下端が同じ高さになるように固定されていることが好ましい。
着用紐２の他端部は折り返し部７の開放された下端部の外側に固定されている。
【００２２】
（本実施形態に係るマスク１００の製造方法）
本実施形態に係るマスク１００を製造する方法は、例えば、以下のようなものである。
まず、本体部１を形成する矩形状の積層シートを準備して、この矩形状のシートの中央部を着用した時に上下になる方向に複数回折り返して、プリーツ３を形成する。
【００２３】
次に、積層シートの上端部を本体部１の上端部から下端部側に向けて内側に折り返して鼻用掛止部４を形成する。必要に応じて固定部６を設け、鼻用掛止部４の左右の幅を決定する。
さらに、積層シートの下端部を本体部１の下端部から上端部側に向けて内側に折り返して下あご用掛止部５を形成する。
これら積層シートの側端部を縦方向に沿って熱圧着して、プリーツ３、鼻用掛止部４及び下あご用掛止部５をそれぞれ折った状態で、積層シートの内面ができるだけ平坦になるように固定しておくことが好ましい。
この熱圧着は、折り返し部７が立ち上がった状態になったときに、プリーツ３等の角が内側に広がって頬に当たったりすることを抑えるために、積層シートの側端まで施されていることが好ましい。この時熱圧着する部の幅は、プリーツ３が広がる際の邪魔にならないように、折り返し部７を形成する際に折り返す幅と同じ又はそれ以下であって、折り返し部を形成する際に折り返す幅の半分以上の幅であることが好ましい。本実施形態では、折り返し部７を形成する折り返しの幅のほぼ半分となるように、積層シートの側端から６ｍｍ程の部分を熱圧着してある。
【００２４】
その後、積層シートの左右の両側端部を本体部１の側方から内側に向けて折り返して、折り返し部７を形成する。折り返し部７の上端部は、折り返した状態で本体部１の上端部に固定し、折り返し部７の下端部は開放しておく。
折り返し部７と本体部１との固定部分は、例えば、熱圧着等によって固定されて、図２に示すように、本体部１の内側の面と折り返し部７との間の段差ができるだけ形成されないことが好ましい。
【００２５】
最後に、着用紐２を、本体部１の両側端部に固定する。例えば、着用紐２の一方の端部を折り返し部７の上端部に固定し、着用紐２の他方の端部を折り返し部７の下端部に固定する。
【００２６】
（本実施形態の効果）
以上のように構成したマスク１００によれば、以下のような効果を奏することができる。
図６に示すように、着用紐２が、折り返し部７が広がる起点となる鼻用掛止部４の下端に揃うように取り付けられているので、マスクの上端部は着用紐２によって顔に密着する。
さらに、着用紐２を耳に掛けてマスク１００を着用すると、折り返し部７の下端部が着用紐２によって外側に引っ張られて広がり、折り返し部７が着用者の頬に向かって立ち上がった状態となる。
その結果、口の開閉等によってプリーツが伸縮した場合であっても、本体部１の上端部及び折り返し部７が着用者の頬に可及的に接するので、マスクの側端部を着用者の顔に隙間なく密着させることができる。
【００２７】
プリーツ３を形成することによって本体部１を上下方向に伸縮可能にし、鼻用掛止部４及び下あご用掛止部５を形成することによって、図５及び図６に示すように、本体部１が口の開閉に追随して柔軟に変形することができる。このように上下方向への自由な伸縮が可能であるので、特に折り返し部７による側方の隙間を小さくする効果が顕著に発揮される。
折り返し部７が、鼻用掛止部４の下端部に揃う位置で本体部１に固定されているので、頬との密着度が最も高い鼻用掛止部４は着用時に立ち上がらず、鼻用掛止部４の下から折り返し部７が立ち上がるようにすることができる。その結果、折り返し部が立ちあがることによるマスクと頬との摩擦を小さくし、頬にマスクの跡が残ったり、かぶれたりすることを抑えることができる。
【００２８】
本発明は前記実施形態に限られるものではない。
例えば、前記実施形態では、折り返し部の上端部が本体部の上端部に固定されているものについて説明したが、折り返し部の下端部が本体部の下端部に固定されて、折り返し部７の上端部が開放されているものとしても良い。
【００２９】
折り返し部、鼻用掛止部及び下あご用掛止部は、本体部と一体に形成されたものに限らず、別体のシートを取り付けて形成するようにしても良い。
鼻用掛止部及び下あご用掛止部は、必須の構成ではなく、必要に応じて一方のみを形成しても良いし、どちらも形成しなくても良い。例えば、鼻用掛止部や下あご用係止部を設ける代わりに、鼻や下あごの形状に合わせて変形可能なワイヤーや硬度の高い不織布などを設けるようにしても良い。
また、鼻用掛止部及び下あご用掛止部の折り返しの高さや幅は、着用者の顔の形状やサイズによって、適宜変更が可能である。
【００３０】
本体部を上下方向に伸縮可能とする方法は特に限定されず、例えば、本体部の素材として上下方向に伸縮可能な素材を使用するようにしても良い。
さらに言えば、本体部は必ずしも上下方向に伸縮可能なものでなくても良い。
【００３１】
着用紐は、マスクと一体に形成されたものであってもよい。
着用紐の折り返し部の解放されている下端部に固定されている端部はこの位置に固定されていることは必須ではなく、例えば、本体部の下端部に取り付けられていても良い。
このような場合には、着用時に折り返し部の下端を広げて、折り返し部が着用者の頬に向かって立ち上がるようにした状態で、着用紐を耳に掛けることによって本発明の効果が発揮される。
【００３２】
着用紐は耳に掛けるものに限らず、例えば、本体部の上端部同士及び下端部同士を繋ぐように伸縮自在な２本の紐を取り付けて、これらの紐を頭部の後ろ側に回すことによって本体部を着用するもの等であっても良い。
【００３３】
各部を構成する素材については、特に限定されない。熱圧着等の処理によって本体部の内側の面と折り返し部との間に形成される段差を小さくしにくい素材を使用する場合には、折り返し部を形成した後に鼻用掛止部を形成するようにしたり、折り返し部の端部を額縁折り等の段差が形成されにくい形状にした上で固定する等して、段差を本体部の内側の面と折り返し部との間に形成される段差をできるだけ小さくすると良い。
【００３４】
その他、本発明の趣旨に反しない限りにおいて、種々の変形や実施形態の組合せを行ってもかまわない。
【符号の説明】
【００３５】
１００・・・マスク
１    ・・・本体部
２    ・・・着用紐
７    ・・・折り返し部
【要約】
【課題】マスクの側端部と顔とをできるだけ密着させる。
【解決手段】鼻と口とを覆う本体部と、該本体部の側端部に内側に向けて設けられた折り返し部とを備え、前記折り返し部の上端部又は下端部の一方が、前記本体部に固定されており、前記折り返し部の上端部又は下端部の他方が開放されていることを特徴とするマスクとした。
【選択図】図１【図１】
0006770290.tif 000002
【図２】
0006770290.tif 000003
【図３】
0006770290.tif 000004
【図４】
0006770290.tif 000005
【図５】
0006770290.tif 000006
【図６】
0006770290.tif 000007